(57)【要約】      （修正有）【課題】着信に自動応答し、偽りの話中音である擬似話中音を発信元に送出することにより発信元へ話中と思わせる、留守を悟られない機能を有する電話装置を提供する。【解決手段】留守応答実行手段が起動している状態で着信があった場合に、発信元電話番号抽出手段は当該着信の発信元の電話番号を抽出し、前記抽出した電話番号が留守応答許可番号登録手段に登録されていないならば、当該着信に自動的に応答して疑似話中音を送出する。【選択図】図１
2011119965.tif 000002
【特許請求の範囲】
【請求項１】
着信に自動応答する機能を有する電話装置であって、  着信があった際に当該着信の発信元の電話番号を抽出する発信元電話番号抽出手段と、発信元へ話中と思わせるための偽りの話中音である擬似話中音を送出する疑似話中音送出手段と、着信があった際に当該着信に自動的に応答して予め定められた留守応答を実行する留守応答実行手段と、前記留守応答を許可する発信元の電話番号を登録する許可番号登録手段と、を有し、前記留守応答実行手段が起動している状態で着信があった場合に、前記発信元電話番号抽出手段は当該着信の発信元の電話番号を抽出し、前記抽出した電話番号が前記許可番号登録手段に登録されていないならば、当該着信に自動的に応答して前記疑似話中音を送出することを特徴とする留守を悟られない電話装置。
【発明の詳細な説明】
【技術分野】
【０００１】
本発明は、着信があった際に擬似話中音を送出する機能を有する電話装置に関する。
【背景技術】
【０００２】
留守番電話機において、発信者番号通知機能を利用した良好な処理をする技術がある（例えば特許文献１）。しかしながら、特許文献１の技術では、着信があった際に着信信号に含まれる発信番号情報と一致する電話番号が電話帳データベースに存在しない場合、標準応答メッセージを送出するが、前記応答メッセージを送出することで留守番電話機を設置している側が留守であることを発信元に通知することになる。その結果、留守番電話機を設置している側は、留守を悟られたくない場合でも、発信元に留守を悟られてしまうという欠点がある。
【先行技術文献】
【特許文献】
【０００３】
【特許文献１】特開平１１−２７５２１１号公報
【発明の概要】
【発明が解決しようとする課題】
【０００４】
そこで、本発明の課題は、着信に自動応答し疑似話中音を発信元に送出することにより、発信元に留守を悟られない機能を有する電話装置を提供することにある。
【課題を解決するための手段】
【０００５】
本発明の電話装置は、着信に自動応答する機能を有する電話装置であって、着信があった際に当該着信の発信元の電話番号を抽出する発信元電話番号抽出手段と、発信元へ話中と思わせるための偽りの話中音である擬似話中音を送出する疑似話中音送出手段と、着信があった際に当該着信に自動的に応答して予め定められた留守応答を実行する留守応答実行手段と、前記留守応答を許可する発信元の電話番号を登録する許可番号登録手段と、を有し、前記留守応答実行手段が起動している状態で着信があった場合に、前記発信元電話番号抽出手段は当該着信の発信元の電話番号を抽出し、前記抽出した電話番号が前記許可番号登録手段に登録されていないならば、当該着信に自動的に応答して前記疑似話中音を送出することを特徴とする。
【発明の効果】
【０００６】
本発明によれば、着信があった際に着信応答者不在で着信応答出来ない状況であっても、着信に自動応答し、発信元へ話中と思わせるための偽りの話中音である擬似話中音を送出することによって着信応答者が不在ではないことを装う、留守を悟られない機能を有する電話装置を提供することができる。
【図面の簡単な説明】
【０００７】
【図１】電話装置の機能ブロック図である。
【図２】本発明の電話装置の動作を説明するフローチャートである。
【図３】データベースを説明する図である。
【発明を実施するための形態】
【０００８】
以下、本発明の実施の形態について、図を用いて説明する。      
【０００９】
図１は本発明の電話装置の機能ブロック図である。電話装置１００は、電話回線２００と接続する回線インターフェース部１０１を備える。電話装置１００の使用者の音声は、ハンドセット１０３のマイク（図示せず）から入力され、音声送受信部１０２、回線インターフェース部１０１を経由し電話回線２００へ送信される。通話相手からの音声は、電話回線２００より回線インターフェース部１０１、音声送受信部１０２を経由し、電話装置１００の使用者が持つハンドセット１０３のスピーカ（図示せず）で再生される。なお、着信時に電話装置１００の使用者がハンドセット１０３をフックオフし通話をする際、ハンドセット１０３よりフックオフ信号が制御部１０５へ通知される。      
【００１０】
発ＩＤ抽出部１０４は、着信があった際に発信元の発信者番号を抽出して、制御部１０５へ通知する。      
【００１１】
疑似話中音生成部１０６は、電話装置１００の使用者が外出等により着信応答出来ない場合に前記電話装置１００が着信自動応答の際に送出する話中音を疑似的に生成する。      
【００１２】
留守応答メッセージ登録部１０７には、電話装置１００が留守応答する際に発信元に  送出する留守応答メッセージが登録されている。      
【００１３】
着信時に着信音をスピーカ１０８から出力すると共に、着信表示をディスプレイ１０９に表示する。なお、ディスプレイ１０９としては、ＬＥＤやＬＣＤ等の任意の表示デバイスが適用可能である。      
【００１４】
電話装置１００は、ダイヤルキー１１１、自動応答設定キー１１２のキー押下を検出するキー押下検出部１１０を備える。      
【００１５】
電話装置１００が待機中において、自動応答設定キー１１２の押下をキー押下検出部１１０が検出した際に、前記電話装置１００は、「自動応答設定」状態に切り替わる。ダイヤルキー１１１は、発信操作をする際に使用するキーであり、「１、２、３、４、５、６、７、８、９、０、＊、＃」の１２個のキーの総称である。      
【００１６】
電話装置１００は、着信の際に自動応答し発信者番号に応じた着信応答形式を蓄積するデータベース１１３（以下データベース１１３と記す）を備える。      
【００１７】
図３を用いて、データベース１１３の詳細について説明する。データベース１１３は、レコード番号３１、発信者名称３２、発信者番号３３、発信者毎の着信応答形式３４を保存管理する。前記発信者毎の着信応答形式３４は、留守応答（録音有り）、留守応答（録音無し）のそれぞれの応答形式があり、発信者毎に異なる応答形式を保存管理する。電話装置１００の使用者は、ダイヤルキー１１１を使用して、前記データベース１１３の各種情報を設定出来る。      
【００１８】
データベース１１３は、電話装置１００が着信の際に留守応答の実行を許可する発信者番号を保存管理する。      
【００１９】
電話装置１００は、外部機器ＩＦ（インターフェース）部１１４を備え、外部機器であるセキュリティシステム３００からの設定コマンドを受信し、「自動応答設定」状態を設定することも出来る。前記外部機器は、セキュリティシステムに限らない。      
【００２０】
制御部１０５は、前記各部を制御する。      
【００２１】
図２は、本発明の電話装置１００の動作フローチャートである。      
【００２２】
以下、図１を併用して処理フローを説明する。      
【００２３】
はじめに、着信があった際に着信応答者不在で着信応答出来ない状況であっても、電話装置１００が着信に自動応答し、発信元へ話中と思わせるための偽りの話中音である擬似話中音を送出することによって、発信元に対して電話装置１００の使用者が留守であることを悟られないことを実現する電話装置１００の処理の流れを説明する。      
【００２４】
電話装置１００は、自動応答設定キー１１２の操作を検出した場合（Ｓ２００、ＹＥＳ）、当該装置を「自動応答設定」状態にする（Ｓ２０１）。そして、前記電話装置１００は、着信があるかどうかを例えば５ミリ秒間監視し、前記監視時間内に着信を検出した場合（Ｓ２０２、ＹＥＳ）、電話装置１００は、当該装置が「自動応答設定」状態であるかを検出（Ｓ２０３）し、「自動応答設定」状態である場合（Ｓ２０３、ＹＥＳ）、前記着信に対して自動応答する（Ｓ２０４）。発ＩＤ抽出部１０４は、前記着信時において発信元の発信者番号を抽出しデータベース１１３内の発信者番号３３に該当する発信者番号があるかを検出する（Ｓ２０５）。前記検出の結果、該当する発信者番号が存在しない場合（Ｓ２０５、ＮＯ）、電話装置１００は電話通話中であることを装うために疑似話中音生成部１０６より疑似話中音を制御部１０５、回線インターフェース部１０１、電話回線２００を経由して発信元に対して送出する（Ｓ２０６）。そして、電話装置１００は無鳴動の着信表示をディスプレイ１０９によって行う（Ｓ２０７）。前記一連の処理によって、着信の際に発信元へ話中と思わせるための擬似話中音を送出することによって着信応答者が不在ではないことを装い、留守を悟られない機能を実現することが出来る。      
【００２５】
次に、外部機器からの設定コマンド（入力信号）によって、電話装置１００が着信時に自動応答する自動応答設定の処理の流れを説明する。      
【００２６】
電話装置１００は、自動応答設定キー１１２の操作を検出しない場合（Ｓ２００、ＮＯ）、外部機器からの設定コマンドを受信したかどうかを検出する（Ｓ２０８）。前記設定コマンドを受信した場合（Ｓ２０８、ＹＥＳ）、当該装置を「自動応答設定」状態にする（Ｓ２０１）。      
【００２７】
次に、発信元が留守応答許可者である場合の処理の流れを説明する。      
【００２８】
電話装置１００の使用者が着信応答出来ない状況であり、「自動応答設定」状態である場合、電話装置１００は着信時に自動応答（Ｓ２０４）し、発ＩＤ抽出部１０４は、前記着信時において発信元の発信者番号を抽出しデータベース１１３内の発信者番号３３に該当する発信者番号があるかを検出する（Ｓ２０５）。前記検出の結果、該当する発信者番号が存在する場合（Ｓ２０５、ＹＥＳ）、電話装置１００は着信表示をスピーカ１０８及びディスプレイ１０９によって行う（Ｓ２１２）。そして、電話装置１００はデータベース１１３の発信者毎の着信応答形式３４に従い、留守応答を実行する（Ｓ２１３）。前記発信者番号３３と同一レコードに登録されている、発信者毎の着信応答形式３４の内容に従い、着信時刻における着信応答を実行する。例えば、着信時刻２０時において、発信者番号２３４５６７８９０１から電話装置１００へ着信があった場合は、発ＩＤ抽出部１０４において抽出した発信者番号が２３４５６７８９０１であることより、データベース１１３のレコード番号３に前記発ＩＤ抽出部１０４が抽出した発信者番号と同一の発信者番号３３が存在することと、着信時刻が２０時であることから、電話装置１００は、留守応答（録音無し）を実行する。      
【００２９】
以上説明した通り、本発明に拠れば、着信時に電話装置１００の使用者が不在で着信応答出来ない状況であっても、本発明の電話装置１００は、前記着信に自動応答し、疑似話中音を発信元へ送出することによって留守を悟られないことが可能である。      
【００３０】
なお、本実施例においては、電話回線との接続が有線である電話装置を例に説明したが、本発明はこれに限定されない。例えば、本電話装置は、無線通信による携帯電話機や無線ＬＡＮ電話機等であっても良い。さらに本電話装置は、ビジネスホンシステムや構内交換機（ＰＢＸ）の内線電話機であっても良い。
【符号の説明】
【００３１】
１００…電話装置、１０１…回線インターフェース部、１０２…音声送受信部、１０３…ハンドセット、１０４…発ＩＤ抽出部、１０５…制御部、１０６…疑似話中音生成部、１０７…留守応答メッセージ登録部、１０８…スピーカ、１０９…ディスプレイ、１１０…キー押下検出部、１１１…ダイヤルキー、１１２…自動応答設定キー、１１３…留守応答許可者を蓄積するデータベース、１１４…外部機器ＩＦ部、２００…電話回線、３００…セキュリティシステム、３１…レコード番号、３２…発信者名称、３３…発信者番号、３４…発信者毎の着信応答形式
【図１】
2011119965.tif 000003
【図２】
2011119965.tif 000004
【図３】
2011119965.tif 000005